(57)【要約】【課題】サイズ等の商品関連表示を容易、迅速に認識できるようにする。【解決手段】商品関連表示が付されたタブが設けられた包装体。タブが包装体から突出していてもよい。包装体が陳列された陳列棚。【選択図】　　　図１
2004017998.tif 000002
【特許請求の範囲】
【請求項１】
商品関連表示が付された第１タブが設けられたことを特徴とする包装体。
【請求項２】
前記第１タブが前記包装体から突出している請求項１に記載の包装体。
【請求項３】
前記第１タブと前記包装体とが一体的に形成されている請求項１又は２に記載の包装体。
【請求項４】
前記第１タブと前記包装体との材質が同じである請求項１、２又は３に記載の包装体。
【請求項５】
前記商品関連表示に従って、前記第１タブの位置が異なっている請求項１〜４の何れかに記載の包装体。
【請求項６】
前記商品関連表示は商品サイズを示すものであり、前記商品サイズに従って、前記第１タブの位置が異なっている請求項１〜５の何れかに記載の包装体。
【請求項７】
商品の種類に応じて、前記第１タブの背景に用いられる色が異なるものである請求項１〜６の何れかに記載の包装体。
【請求項８】
前記第１タブが前記包装体の前面から見た上部に取り付けられている請求項１〜７の何れかに記載の包装体。
【請求項９】
陳列棒に引っ掛けるためのフックが前記包装体の前面から見た上部に取り付けられている、請求項１〜８の何れかに記載の包装体。
【請求項１０】
前記第１タブの高さは前記フックの高さより小さい請求項９に記載の包装体。
【請求項１１】
前記第１タブが着脱可能である請求項１〜１０の何れかに記載の包装体。
【請求項１２】
異なる商品関連表示が付された第２タブが設けられた請求項１〜１１の何れかに記載の包装体。
【請求項１３】
前記包装体の内部に商品が収納されている請求項１〜１２の何れかに記載の包装体。
【請求項１４】
前記商品が、生理又は尿失禁関連商品である請求項１３に記載の包装体。
【請求項１５】
請求項１３又は１４に記載の包装体が陳列されていることを特徴とする陳列棚。
【発明の詳細な説明】
【０００１】
【発明の属する技術分野】
本発明は、タブ付き包装体及び陳列棚に関する。
【０００２】
【従来の技術】
生理用ショーツ、生理用ナプキン、タンポン、オリモノ用ライナー等の生理関連商品は、箱型等の包装体に包まれてスーパーマーケット、薬局等の小売店に陳列されている。生理用ショーツを例にとると、生理用ショーツを内包した包装体を棚の上で奥から手前に向かって立てて陳列したり、あるいは、奥から手前に陳列棒が突き出していて、その陳列棒にフックを介して複数の包装体を吊るしたりして陳列されている。
【０００３】
生理用ショーツ、生理用ナプキン等の種類は、年々増加している。例えば、生理用ショーツでは、機能別に複数の商品があり、更に、各機能別の中でも複数の色があり、サイズも例えば、Ｍ、Ｌ等複数の種類があったりする。具体的には、同じ商品に複数のサイズ（ＭとＬ等）があり、サイズ毎に複数箇所のスペースが必要であった。例えば、ボクサータイプのＭとＬ、エレガントタイプのＭとＬ、スタンダードタイプのＭとＬ、消臭タイプのＭとＬなどが挙げられる。ＳやＬＬといったサイズがあれば、そのサイズ分の場所も必要であった。即ち、アイテム数にサイズ数をかけた分の場所が必要であった。このように、売る商品の種類が多いと、売り場の面積は限られているため、パッケージを小さくせざるを得なかった。また、生理関連商品に限られず、一つの商品群が多数の商品からなる場合がある。
【０００４】
【発明が解決しようとする課題】
しかし、一つの店舗の中では、これらの商品群の陳列スペースは限られているので、同じ商品であっても、異なるサイズの商品を重ねて置いたり、重ねて吊るしたりする場合があった。
【０００５】
このような場合には、消費者が商品の品定めをする際に、商品を一旦手にとって、商品名、色、サイズ等を確認し、買い物かごに入れるか、あるいは、陳列棚に戻すことになる。すると、商品名、サイズ等をすぐに確認できない場合には、消費者が煩雑な作業をすることになった。また、消費者が生理関連商品又は尿失禁関連商品を購買する際には、羞恥心から、商品を迅速に購入したいというニーズがある。従って、商品の表示は迅速に確認できるものであることが所望される。
【０００６】
また、異なるサイズの商品の重ね置き等の場合には、小売店の在庫管理が煩雑であった。商品名、色、サイズ毎に商品の補充をするためには、商品名、色、サイズ別にどれだけ売れたかをすぐに確認できることが望まれていた。
【０００７】
そこで、本発明では、サイズ等の商品関連表示を迅速かつ容易に認識できるようにすることを課題とする。
【０００８】
【課題を解決するための手段】
以上のような課題を解決するために本発明においては、包装体に商品関連表示が付された第１タブを設けることとした。
【０００９】
より具体的には、本発明は以下のようなものを提供する。
【００１０】
（１）　商品関連表示が付された第１タブが設けられたことを特徴とする包装体。
【００１１】
本発明の包装体では、第１タブに商品関連表示、例えば、商品のサイズが付されているので、小売店にとっても、消費者にとっても、商品関連表示を容易に確認することができる。従って、小売店の店頭でのメンテナンス、在庫管理が容易になり、また、消費者も商品を選ぶ際に、求めている商品を容易に手にすることができるようになる。
【００１２】
（２）　前記第１タブが前記包装体から突出している上記に記載の包装体。
【００１３】
この実施態様では、第１タブが前記包装体から突出しているので、包装体を重ねておいた場合でも、第１タブが更に見易くなる。また、小売店の店頭でのメンテナンス、在庫管理が更に容易になり、かつ、消費者も商品を選ぶ際に更に容易、迅速に求めている商品を手にすることができる。
【００１４】
また、商品の購入時や小売店の商品の補充時に、タブを手がかりにして、タブをつまんで商品を抜き取ったり、整列させたりすることができる。消費者は、所望する商品の包装体のタブをつかむことにより、棚や、陳列棒の奥から簡単に商品を取り出すことができる。また、陳列棒に商品を吊り下げている場合には、商品の補充が必要な場合には、タブをつまんで商品を奥に押し込み、一番前に商品を補充することができる。一方、在庫がない場合には、一番奥の商品のタブをつまんで手前に出すだけで、配列が整う。
【００１５】
（３）　前記第１タブと前記包装体とが一体的に形成されている上記に記載の包装体。この実施態様では、第１タブ付きの包装体を容易に製造することができるので、製造コストを低減することができる。
【００１６】
（４）　前記第１タブと前記包装体との材質が同じである上記に記載の包装体。この実施態様では、製造コストを低減することができる。
【００１７】
（５）　前記商品関連表示に従って、前記第１タブの位置が異なっている上記に記載の包装体。
【００１８】
この実施態様では、商品関連表示に従って、第１タブの位置が異なっているので、第１タブの位置により第１タブに表示されている内容を読まなくても、一見して商品関連表示、例えば、商品サイズが分かる。小売店の店頭でのメンテナンス、在庫管理が更に容易になり、また、消費者も商品を選ぶ際に更に容易に求めている商品を手にすることができる。例えば、第１タブの位置を順番にずらしていくことができる。
【００１９】
（６）　前記商品関連表示は商品サイズを示すものであり、前記商品サイズに従って、前記第１タブの位置が異なっている上記に記載の包装体。
【００２０】
この実施態様では、商品サイズに従って、第１タブの位置が異なっているので、第１タブの位置により商品サイズが分かる。小売店の店頭でのメンテナンス、在庫管理が更に容易になり、また、消費者も商品を選ぶ際に更に容易に求めている商品を手にすることができる。例えば、商品サイズに従って、第１タブの位置を順番にずらしていくことができる。
【００２１】
この実施態様では、同じ陳列場所に複数のサイズを陳列することができるので、ひとつのパッケージの前面の面積を大きく取ることができる。パッケージの前面の面積を大きくすることで、写真やイラストで大きく商品表示をすることができる。その結果、その商品が何かということが消費者に分かりやすくなり、商品を手早く選ぶことができる。前面のパッケージでその商品の種類を識別し、サイズについてはタブで識別することができる。
【００２２】
（７）　商品の種類に応じて、前記第１タブの背景に用いられる色が異なるものである上記に記載の包装体。
【００２３】
この実施態様では、機能が異なる同種の商品群から、求めている商品の種類を容易に認識することができる。例えば、生理用ショーツを例とすると、ボクサータイプ、エレガントタイプ、スタンダードタイプ、消臭タイプの各々でタブの背景色を決めておき、タブの背景色から所望の商品を選択できるようにすることができる。
【００２４】
（８）　前記第１タブが前記包装体の前面から見た上部に取り付けられている上記に記載の包装体。
【００２５】
商品の店頭での陳列状態としては、目線と同じ高さか、目線より下の高さに商品が陳列されることが多く、消費者は商品を斜め下に見下ろすようになる。そのような場合には、商品の上部に第１タブがあるほうが見やすい。特に、複数の包装体を重ねて陳列してある場合に、奥の方に陳列されている包装体の第１タブを容易に見ることができる。
【００２６】
また、包装されている商品を納入するのに、ダンボール箱に多数の商品を立てて収納しているような場合、ダンボール箱の上蓋を開けるだけで、上部に設けられた第１タブを目にすることができるので、内容物が何かを容易に把握することができる。
【００２７】
（９）　陳列棒に引っ掛けるためのフックが前記包装体の前面から見た上部に取り付けられている、上記に記載の包装体。
【００２８】
本実施態様では、包装体、特に、商品が内包されている包装体をフックで陳列棒等に引っ掛けることにより、複数の包装体を重ねて陳列することができる。
【００２９】
（１０）　前記第１タブの高さは前記フックの高さより小さい上記に記載の包装体。
【００３０】
二段以上に陳列した際に、下段の商品の第１タブが上段商品の下端に当たらないようにするためである。
【００３１】
また、フックを陳列棒等の陳列補助具に包装体、特に商品入りの包装体を引っ掛けた場合に、棒の下端が第１タブの最上端より高くなるように設計してあるのが好ましい。２段以上に陳列した際に、下段の商品の第１タブが上段商品の下端に当たらないようにするためである。フックと第１タブとの距離は、陳列棒の直径以上であることが特に好ましい。商品入り包装体を陳列棒に架けたり、外したりするのに邪魔にならないためである。
【００３２】
（１１）　前記第１タブが着脱可能である上記に記載の包装体。
【００３３】
予め包装体にタブが取り付けられていて、適宜取り外せるようになっていてもよい。この場合には、タブに切り込み線が入っていてもよい。小売店によっては、タブを用いることなく、きっちり商品を重ね置きしたい場合があるからである。
【００３４】
あるいは、タブが別体になっていて、用途に応じてタブが付けられるようになっていてもよい。例えば、商品関連表示が値段の場合には、別体のタブを好ましく用いることができる。
【００３５】
あるいは、天面又は側面に切り込み線等が入っていて、押し上げるとタブを形成できるようになっているものであってもよい。吊り下げ式の陳列をしない場合には、売り場によって陳列方法を変えることができる。
【００３６】
第１タブが着脱可能である場合などには、フックも、包装体に着脱可能であってもよい。例えば、包装体の一部に切れ込みが入っており、フックをその切れ込みに差し込む形式であってもよい。あるいは、包装体の一部に切り込み線があり、押し上げるとフックになる形式であってもよい。
【００３７】
（１２）　異なる商品関連表示が付された第２タブが設けられた上記に記載の包装体。
【００３８】
二つの商品関連表示、即ち、種類の異なる情報が一目で分かるので、商品関連表示を迅速に認識することができる。例えば、ナプキンの包装体の場合には、第１タブで羽があるものと、羽がないものの表示をして、第２タブで対象としている量の表示（少ない日用、多い日用、夜用等）などを表示することができる。
【００３９】
（１３）　前記包装体の内部に商品が収納されている上記に記載の包装体。
【００４０】
本実施態様では、商品の商品関連表示を分かり易く表示することができるので、商品の購買欲を惹起しやすい。
【００４１】
（１４）　前記商品が、生理又は尿失禁関連商品である上記に記載の包装体。
【００４２】
このような包装体の場合には、手にとらずに、簡単に目で認識して、商品を選択することができる。一旦、手に取ってからまた戻す、特に、奥の商品を取り出して、欲しい商品かどうかを確認してまた戻すというようなことをすると、欲しい商品を選択するのに時間がかかってしまう。このような作業をすることなく、陳列棚を見るだけで、欲しい商品がどこにあるのかを確認できるので、迅速に商品を購入することができる。
【００４３】
特に、生理又は尿失禁関連商品の場合には、消費者は羞恥心により、長時間、商品を確認することができない場合もあるので、商品関連表示を迅速に確認できることには、意義がある。
【００４４】
（１５）　上記に記載の包装体が陳列されていることを特徴とする陳列棚。
【００４５】
例えば、包装体を横に並べ、包装体の各々の背面に更に商品、特に、同種の商品を置くことができる。このように商品の各種類毎に一つの陳列棒等の陳列補助具に同種の商品を吊るすことができる。消費者としては、欲しい商品を、包装体の正面のパッケージで確認することができ、商品関連情報、例えば、商品サイズを第１タブで確認することができる。小売店としては、商品の種類毎に容易に在庫管理を行うことができる。商品関連情報、例えば、商品サイズを第１タブで確認することにより、どの商品のどのサイズが売れ残っているかを一目で確認することができる。特に、小売店の男性店員が生理関連商品の在庫をチェックする際に、商品の周辺に長時間留まると、女性消費者の購買意欲がそがれる場合もありうるので、迅速に在庫確認することができることは重要である。
【００４６】
【発明の実施の形態】
図１は、本発明のタブ付き包装体の一実施態様を示す。包装体１０には、商品を収容するための本体１２と、本体１２の上部１２ｕの背面１２ｔから上方に向かって突出しているタブ１４と、本体１２の上部１２ｕの中央部に設けられたフックを有する。
【００４７】
本実施態様では、本体１２の形状は、箱型又は直方体になっているが、本発明では箱型又は直方体に限られない。箱型、直方体以外の例として、半円柱、円柱、湾曲形状といった丸みを帯びたもの、多角柱、各種変形形状等がある。
【００４８】
本体の正面１２ｓと背面１２ｔは互いに平行な平面となっていることが好ましい。複数の包装体１０どうしを重ねるときに、コンパクトに重ねられるからである。
【００４９】
本体１２の正面１２ｓは、例えば、線１２ｃにより左側部分１２ａと、右側部分１２ｂに分けられていてもよい。左側部分と右側部分とで別個の意匠を提示してもよい。例えば、左側部分１２ａに商品名を印刷し、右側部分に商品の写真等を印刷してもよい。
【００５０】
タブ１４には、商品関連表示が付されていて、本実施態様では、「Ｍ　ｓｉｚｅ」と表示されている。商品関連表示は、サイズに限られず、商品の色等であってもよい。タブ１４の形状には特に制限がなく、長方形、半円形、楕円等、種々の形状が好ましく用いられる。
【００５１】
タブには商品関連表示が付されているので、小売店の店頭でのメンテナンス、在庫管理が容易、迅速になり、また、消費者も商品を選ぶ際に、容易、迅速に求めている商品を手にすることができる。迅速に商品を選べるので、商品購入に要する時間を節約することができ、女性の束縛解放の一助となる。
【００５２】
本実施態様では、タブ１４は、本体１２と一体的に形成されていることが好ましい。製造コストを低減することができるからである。
【００５３】
また、タブ１４と本体１２との材質とが同じであることが好ましい。製造コストを低減することができるからである。例えば、タブ１４と本体１２は、紙で構成されていてもよいし、熱可塑性樹脂で構成されていてもよい。熱可塑性樹脂としては、ポリエチレン、ポリプロピレン等のポリオレフィン、ポリエステル、ポリアミド等が挙げられる。
【００５４】
本実施態様では、陳列棒に引っ掛けるためのフック１６が包装体１２の上部１２ｕに取り付けられていることが好ましい。更に好ましくは、フック１６が包装体１２の上部１２ｕの中心付近に取り付けられていることが好ましい。フック１６により、複数の商品、特に、同種の複数の商品を１本の陳列棒に引っ掛けることができるからである。
【００５５】
また、タブ１４の高さはフック１６の高さより小さいことが好ましい。本体１２を陳列棒に引っ掛ける際に、タブが邪魔にならないようにするためである。
【００５６】
図２は、本発明の他の実施態様を示す。二つの包装体を厚さ方向に並べた状態、即ち、一本の陳列棒（図示されていない）に二つの包装体を並べた状態を示す。
【００５７】
図２では、包装体１０はタブ１４の表示から「Ｍ　ｓｉｚｅ」であることが分かり、包装体１０ａでは、タブ１４ａの表示から「Ｌ　ｓｉｚｅ」であることが分かる。図２の実施態様では、商品関連表示、即ち、商品のサイズに従って、タブ１４の位置とタブ１４ａの位置が異なっている。タブ１４は、本体１２の裏面の上部の左端に取り付けられている。これに対して、タブ１４ａは、本体の裏面の上部の右端に取り付けられている。このように、タブの位置が異なっているので、タブに記載されている商品関連表示を一目で認識することができる。
【００５８】
商品の種類に応じて、タブの背景に用いられる色が異なっていてもよい。タブの背景色により、商品の種類を容易に認識することができるからである。例えば、生理用ショーツを例にすると、ボクサータイプ、消臭タイプ等、複数の商品が製造、販売されている。そして、例えば、ボクサータイプは黒色、消臭タイプは緑色、というように、タブの背景に用いられる色が異なっていてもよい。タブの背景に用いられる色が、包装体の正面１２ｓ、例えば、左側部分１２ａに用いられてもよい。タブの背景色により、商品の種類を容易に認識することができるからである。
【００５９】
包装体の内部に商品が含まれていてもよい。商品としては、タブが好適に用いられるものなら特に制限がない。
【００６０】
商品が、生理又は尿失禁関連商品であってもよい。生理関連商品としては、例えば、生理用ショーツ、生理用ナプキン、タンポン、オリモノ用ライナー等が挙げられる。尿失禁関連商品としては、例えば、失禁用ショーツ、失禁用パッドが挙げられる。
【００６１】
図３は、本発明の陳列棚の一実施態様を示す。本発明の包装体（商品入り）の陳列時の状態を示すものである。各陳列棒１９毎に商品入りの包装体１０を前後に並べたものであり、陳列棒１９が３本横に並んでいる。各々の包装体１０は、フック１６により陳列棒１９に吊り下がっている。そして、包装体１０の各々の背面に更に商品、特に、同種の商品であって、サイズが同じものと、サイズが異なるものが置かれている。一番前の商品が「Ｍ　ｓｉｚｅ」であり、後方の商品に「Ｌ　ｓｉｚｅ」が置いてある。タブに商品サイズが付されており、商品サイズに従って、タブの位置が異なっているから、このようにサイズの違う商品を容易に認識することができる。即ち、正面から見たときに、サイズがＭとＬとが混じっていても、サイズに従ってタブの位置が異なるので、どれがＭかどれがＬかすぐ分かる。消費者としては、欲しい商品を、包装体１０の正面のパッケージで確認することができ、商品関連情報、例えば、商品サイズをタブで確認することができる。小売店としては、商品の種類毎に容易に在庫管理を行うことができる。商品関連情報、例えば、商品サイズをタブで確認することにより、どの商品のどのサイズが売れ残っているかを一目で確認することができる。特に、小売店の男性店員が生理関連商品の在庫をチェックする際に、商品の周辺に長時間留まると、女性消費者の購買意欲がそがれる場合もありうるので、迅速に在庫確認することができることは重要である。
【００６２】
図４は、図３の部分拡大図である。フック１６とタブ１４との距離１１は、陳列棒１９の直径より大きいことが好ましい。商品入り包装体を陳列棒に取り外しをすることが容易になるからである。
【００６３】
図５は、本発明の他の実施態様を示す。包装体２０と包装体２０ａと包装体２０ｂが横向きになって前後に重ねられて置いてある。包装体２０、２０ａ、２０ｂのそれぞれに、湾曲した形状の第１タブ２４、２４ａ、２４ｂが横方向に突出していて、第１タブ２４、２４ａ、２４ｂにはサイズが表示されている。また、包装体２０、２０ａ、２０ｂのそれぞれに更に別個の第２タブ、２６、２６ａ、２６ｂが付されている。第２タブ２６、２６ａ、２６ｂには、サイズ以外の商品関連表示を付すことができる。第２タブについても、商品関連表示に従って、タブの位置が異なっていてもよい。第１タブと第２タブを用いることにより、同種の商品であっても、２つの商品関連表示が異なる商品を一列の陳列棚に陳列することができる。もっとも、包装体２０、２０ａ、２０ｂは平積みになっていてもよい。
【００６４】
図６は、本発明の他の実施態様を示す。包装体３０は、本体３２と、上方に突出しているタブ３４と、フック３６とを有する。タブ３４は、本体３２の中心方向に向かって、湾曲している。フック３６は、陳列棒３９に架かっている。複数の包装体がフックを介して陳列棒３９に架かっていてもよい。陳列棒３９の先端には、プライスカード３８がかかっている。
【００６５】
図７は、本発明の他の実施態様を示す。包装体４０は包装体４０ａと包装体４０ｂと前後に重ねられて陳列されており、包装体４０、４０ａ、４０ｂは、本体４２、４２ａ、４２ｂと、タブ４４、４４ａ、４４ｂを有する。本体４２、４２ａ、４２ｂは、直方体の上部の二つの角４６、４６ａ、４６ｂ、４７、４７ａ、４７ｂを切り欠いた形状をしている。そして、タブ４４、４４ｂは、サイズがＭであり、本体４２、４２ｂの切り欠き部４６、４６ｂの背面から上部に突出している。これに対して、タブ４４ａは、サイズがＬであり、本体４２ａの切り欠き部４７ａの背面から上部に突出している。
【００６６】
従って、複数の包装体４０、４０ａ、４０ｂを前後に重ねて陳列しても、商品サイズに従って、タブの位置が異なっているので、容易かつ迅速に所望のサイズの商品入り包装体を選択することができる。
【００６７】
図８は本発明の陳列棚の一実施態様の斜視図である。陳列棚５０は、一対の側面部５２、５４を有していて、その側面部５２、５４の間に、下から上に、棚６０、７０、８０、９０が並べられている。各々の棚６０、７０、８０、９０には、商品入り包装体６２、６４、７２、７４、８２、８４、９２、９３、９４、９５、９６、９７が陳列されている。各棚の上には同種の商品が並べられていることが好ましく、異なる棚では異種の商品が並べられていてもよい。
【００６８】
陳列棚５０の上部には、複数の陳列棒が並べられており、各々の陳列棒には、商品入り包装体１０２、１０３、１０４、１０５、１０６、１０７がフックにより吊り下がっている。そして、包装体１０２を例示すると、商品関連表示が付されたタブ１０２ａが設けられている。
【００６９】
例えば、商品入り包装体１０２、１０３、１０４、１０５、１０６、１０７には、生理用ショーツが収納され、例えば、ボクサータイプ、エレガントタイプ、スタンダードタイプ、消臭タイプ等により、別個の陳列棒に架けられている。例えば、生理用ショーツのサンプル９８が包装体１０７の横に架けられている。例えば、包装体９２、９３、９４、９５、９６、９７は、それぞれ、包装体１０２、１０３、１０４、１０５、１０６、１０７と同一であることが好ましい。
【００７０】
【発明の効果】
本発明では、商品関連表示が付されたタブが設けられたことを特徴とする包装体が提供されるので、商品関連表示、例えば、商品のサイズを容易、迅速に確認することができる。
【図面の簡単な説明】
【図１】本発明の一実施態様の斜視図である。
【図２】本発明の他の実施態様の斜視図である。
【図３】本発明の陳列棚の一実施態様の正面図である。
【図４】図３の陳列棚の部分拡大図である。
【図５】本発明の他の実施態様の斜視図である。
【図６】本発明の他の実施態様の斜視図である。
【図７】本発明の他の実施態様の斜視図である。
【図８】本発明の陳列棚の他の実施態様の斜視図である。
【符号の説明】
１０　包装体
１２　本体
１２ｓ　正面
１２ｔ　背面
１４　タブ
１６　フック
１９　陳列棒
２０、２０ａ、２０ｂ　包装体
２４、２４ａ、２４ｂ　第１タブ
２６、２６ａ、２６ｂ　第２タブ
３０　包装体
３２　本体
３４　タブ
３６　フック
３８　プライスカード
３９　陳列棒
４０、４０ａ、４０ｂ　包装体
４２、４２ａ、４２ｂ　本体
４４、４４ａ、４４ｂ　タブ
４６、４６ａ、４６ｂ、４７、４７ａ、４７ｂ　角
５０　陳列棚
５２、５４　側面部
６０、７０、８０、９０　棚
６２、６４、７２、７４、８２、８４、９２、９３、９４、９５、９６、９７商品入り包装体
１０２、１０３、１０４、１０５、１０６、１０７　商品入り包装体
【図１】
2004017998.tif 000003
【図２】
2004017998.tif 000004
【図３】
2004017998.tif 000005
【図４】
2004017998.tif 000006
【図５】
2004017998.tif 000007
【図６】
2004017998.tif 000008
【図７】
2004017998.tif 000009
【図８】
2004017998.tif 000010